(57)【要約】【課題】設置場所である構造体の表面に対して容易に位置を揃え、かつ、メンテナンス作業の効率化に有利な照明器具を提供する。【解決手段】埋込型の照明器具１は、光源７と、光源７の正面に位置する前面パネル３と、前面パネル３のパネル面３ａに当接する枠２（２３，２４）と、枠２に向けて、前面パネル３のパネル面３ａとは反対側のパネル裏面３ｂを押圧する押圧機構１３と、パネル面３ａが表出する正面側とは反対の底面側で、かつ、前面パネル３に対向する位置に設けられ、枠２を外部の構造物に取り付ける取り付け金具６と、を備え、押圧機構１３は、パネル面３ａからの押下力に対して、少なくとも前面パネル３の厚さＴ分よりも大きく収縮可能であり、前面パネル３は、押圧機構１３が収縮しているときに、押圧機構１３の押圧方向に対して垂直な方向に移動可能である。【選択図】図２
2018156783.tif 000002
【特許請求の範囲】
【請求項１】
埋込型の照明器具であって、
光源と、
前記光源の正面に位置する前面パネルと、
前記前面パネルのパネル面に当接する枠と、
前記枠に向けて、前記前面パネルの前記パネル面とは反対側のパネル裏面を押圧する押圧機構と、
前記パネル面が表出する正面側とは反対の底面側で、かつ、前記前面パネルに対向する位置に設けられ、前記枠を外部の構造物に取り付ける取り付け金具と、
を備え、
前記押圧機構は、前記パネル面からの押下力に対して、少なくとも前記前面パネルの厚さ分よりも大きく収縮可能であり、
前記前面パネルは、前記押圧機構が収縮しているときに、前記押圧機構の押圧方向に対して垂直な方向に移動可能である、
照明器具。
【請求項２】
前記前面パネルは、前記パネル面が表出する正面側に向かって並列して複数あり、
前記押圧機構は、前記複数の前面パネルにそれぞれ対応して複数あり、
前記複数の押圧機構は、それぞれ独立して前記前面パネルを押圧可能である、
請求項１に記載の照明器具。
【請求項３】
前記取り付け金具は、該取り付け金具を前記構造物に対して締結するボルトを通すボルト穴を有する請求項１又は２に記載の照明器具。
【請求項４】
前記取り付け金具と前記構造物との間に挟まれるスペーサーを備える請求項３に記載の照明器具。
【請求項５】
前記枠、及び、当該枠に当接する前記パネル面は、前記押圧方向に対して垂直な方向に延設されて互いに係合する凹部又は凸部のいずれかを有する請求項１乃至４のいずれか１項に記載の照明器具。
【請求項６】
前記押圧機構に連接され、前記パネル裏面に当接する押さえ板を備え、
前記押さえ板、及び、該押さえ板に当接する前記パネル裏面は、前記押圧方向に対して垂直な方向に延設されて互いに係合する凹部又は凸部のいずれかを有する請求項１乃至５のいずれか１項に記載の照明器具。
【発明の詳細な説明】
【技術分野】
【０００１】
本開示は、埋込型の照明器具に関する。
【背景技術】
【０００２】
従来、建物等の構造物における壁部や天井部に埋め込まれて設置される埋込型の照明器具がある。特許文献１は、天井部に埋め込まれる例として、光を透過する前面カバーと、前面カバーを支持する前面枠とを備える照明器具を開示している。
【０００３】
この前面枠は、前面カバーを支持するためのヒンジや係止具を含むため、天井面よりも照射領域側に突出している。また、この前面枠は、照射領域側から照明器具自体を天井部に固定させるためのネジ等により支持される部分でもあるため、照明器具の本体部分が埋め込まれる埋込み孔の外周よりも外側に突出している。
【先行技術文献】
【特許文献】
【０００４】
【特許文献１】特開平７−１６１２１２号公報
【発明の概要】
【発明が解決しようとする課題】
【０００５】
上記の前面枠は、埋込み孔に収容される照明器具の本体部分から突出する複雑な形状を有するため、天井面に対して、前面枠の枠面を簡単に揃えることができない。例えば、このような全体形状の照明器具を用いる場合に、前面枠の枠面を天井面に揃えようとするならば、天井面に、前面枠の形状に合わせたザグリ部分を予め形成しておく必要がある。
【０００６】
また、作業者が、上記の照明器具を天井部に取り付けたままで、本体部分のメンテナンス作業を行うためには、係止部による前面カバーの固定を解除し、前面カバーを照明領域側に外さなければならない。すなわち、作業者は、前面カバーを取り外し、その前面カバーを別の場所に移して作業をするか、又は、天井から垂れ下がった状態の前面カバーを避けながら作業をする必要があり、作業性に難がある。
【０００７】
本開示は、このような従来技術の有する課題に鑑みてなされたものである。そして、本開示の目的は、設置場所である構造体の表面に対して容易に位置を揃え、かつ、メンテナンス作業の効率化に有利な照明器具を提供することにある。
【課題を解決するための手段】
【０００８】
上記課題を解決するために、本開示の態様に係る照明器具は、埋込型の照明器具であって、光源と、光源の正面に位置する前面パネルと、前面パネルのパネル面に当接する枠と、枠に向けて、前面パネルのパネル面とは反対側のパネル裏面を押圧する押圧機構と、パネル面が表出する正面側とは反対の底面側で、かつ、前面パネルに対向する位置に設けられ、枠を外部の構造物に取り付ける取り付け金具と、を備え、押圧機構は、パネル面からの押下力に対して、少なくとも前面パネルの厚さ分よりも大きく収縮可能であり、前面パネルは、押圧機構が収縮しているときに、押圧機構の押圧方向に対して垂直な方向に移動可能である。
【発明の効果】
【０００９】
本開示によれば、設置場所である構造体の表面に対して容易に位置を揃え、かつ、メンテナンス作業の効率化に有利な照明器具を提供することができる。
【図面の簡単な説明】
【００１０】
【図１】本開示の一実施形態に係る照明器具の斜視図である。
【図２】本開示の一実施形態に係る照明器具の断面図である。
【図３】本開示の一実施形態に係る照明器具の設置例を示す図である。
【図４】第１実施形態における前面パネルの移動を説明する斜視図である。
【図５】第２実施形態における前面パネルの移動を説明する斜視図である。
【図６】前面パネルの支持部分の他の構成例を示す拡大図である。
【発明を実施するための形態】
【００１１】
以下、本実施形態について図面を参照しつつ詳細に説明する。また、以下の説明では、照明器具に含まれる前面パネルのパネル面に対して垂直となる方向であって、照明器具内の光源の正面が向く方向を、Ｚ方向と規定する。そして、Ｚ方向に対して互いに垂直となる方向を、Ｘ方向及びＹ方向と規定する。このうち、メンテナンス時に前面パネルが移動可能である方向が、Ｘ方向に相当する。
【００１２】
（第１実施形態）
まず、第１実施形態に係る照明器具の構成について説明する。図１は、本実施形態に係る照明器具１の全体形状を示す斜視図である。照明器具１は、本体部を構成する枠２と、照明光が透過する前面パネル３とを備える。照明器具１は、枠２の全体が建物などの構造物の壁１０１に埋め込まれた状態で前面パネル３のパネル面３ａ（図２参照）が外部に向けて表出する、いわゆる埋込型の照明器具である。ここで、パネル面３ａとは、前面パネル３の主平面のうち、照明器具１の外部である照射領域に向かって照明光が射出される側の面をいう。照明器具１の全体形状は、概略的には、Ｘ方向を延伸方向とする直方体である。本実施形態では、照明器具１は、前面パネル３を１つ備える。前面パネル３は、パネル面３ａをＸＹ平面とし、かつ、枠２の延伸方向の長さに合わせて延伸している。
【００１３】
壁１０１には、照明器具１が収容される壁穴１０１ａが予め形成されている。壁穴１０１ａは、前面パネル３のパネル面３ａが表出する正面側の照明器具１の外形に合わせた開口寸法を有する。図１に示す例では、壁穴１０１ａのＹ方向の開口寸法は、照明器具１のＹ方向の寸法に合うように設定されている。これに対して、壁穴１０１ａのＸ方向の開口寸法は、２つの照明器具１がＸ方向に沿って隣接するように、照明器具１のＸ方向の寸法の２つ分に合うように設定されている。ここで、照明器具１の各方向の寸法に合わせるとは、壁１０１の壁面１０１ｂ（図２参照）側から２つの照明器具１を壁穴１０１ａに挿入可能で、かつ、外観上、照明器具１と壁穴１０１ａとの間の隙間が目立たない程度の寸法差を許容しつつ合わせることをいう。
【００１４】
図２は、照明器具１の設置場所及び照明器具１の構成を示す断面図である。壁部１００は、照明器具１の設置場所の一例である。また、第１空間Ｓ１は、照明器具１で照らされる照明領域である。壁部１００は、例えば、第１空間Ｓ１に面する壁１０１と、壁１０１に対して第２空間Ｓ２を介して平行に立設する直壁１０２とを含む。第２空間Ｓ１は、照明器具１に接続される電線等が配設される内部空間であり、照明器具１が壁部１００に設置されている状態では、第１空間Ｓ１からは視認されない。
【００１５】
枠２は、第１板部２０、第２板部２１、第３板部２２、第４板部２３及び第５板部２４の計５つの板部で構成される。第１板部２０及び第２板部２１は、それぞれ、照明光の射出方向であるＺ方向と、延伸方向であるＸ方向とで形成されるＸＺ平面を主平面とする。第１板部２０と第２板部２１とは、Ｙ方向で互いに離間して対向する。
【００１６】
第３板部２２は、ＸＹ平面を主平面とする。第３板部２２は、第１板部２０と第２板部２１との間に位置し、Ｙ方向プラス側の端部が第１板部２０の主平面に連接し、Ｙ方向マイナス側の端部が第２板部２１の主平面に連接する。ここで、第３板部２２が連接される位置は、第１板部２０及び第２板部２１のそれぞれの主平面のＺ方向のほぼ中間位置である。この構造により、枠２の内部には、第３板部２２を挟んで、前面パネル３が存在する側の第１内部空間ＩＳ１と、第１内部空間ＩＳ１とは反対側の第２内部空間ＩＳ２とが形成される。
【００１７】
第４板部２３及び第５板部２４は、それぞれＸＹ平面を主平面とする。第４板部２３に関して、Ｙ方向プラス側の端部は、第１板部２０のＺ方向プラス側の端部と連接し、Ｙ方向マイナス側の端部は、第２板部２１側に向かって突出する。一方、第５板部２４に関して、Ｙ方向マイナス側の端部は、第２板部２１のＺ方向プラス側の端部と連接し、Ｙ方向プラス側の端部は、第１板部２０側に向かって突出する。すなわち、第４板部２３と第５板部２４とは、Ｙ方向で互いに離間し、一方が他方に向かって突出するように対向する。この構造により、第４板部２３と第５板部２４とが互いに離間している領域が、照明光が射出される開口ＡＰとなる。
【００１８】
枠２は、例えば、材質をアルミニウム合金として、押出成形で製造することができる。なお、枠２の材質やその製造工程は、特に限定されるものではない。
【００１９】
前面パネル３は、Ｘ方向を延伸方向とし、Ｙ方向を幅方向とする長板部材である。前面パネル３を構成する材質は、光を透過可能な樹脂やガラス等である。特に、前面パネル３は、照明光を効率よく外部に拡散させる拡散パネルであることが望ましい。
【００２０】
また、照明器具１は、灯具本体４と、電源ユニット５とを備える。灯具本体４は、第１内部空間ＩＳ１内に設置され、ＬＥＤ光源等の光源７と、カバー８と、光源７又はカバー８を接続するソケット９とを含む。光源７の種類や、１つの照明器具１内に含まれる光源７の個数などは、特に限定されない。カバー８は、光を透過可能な樹脂やガラス等からなり、光源７を覆って保護する。なお、カバー８は、ソケット９とは別の構成要素を介して枠２に固定されるものとしてもよい。ソケット９は、枠２の第３板部２２に設置され、電源ユニット５に電気的に接続されて、光源７に通電する。光源７、カバー８又はソケット９は、それぞれ、作業者が開口ＡＰを通して取り付け又は取り外し可能な大きさを有する。また、ソケット９に対する光源７又はカバー８の取り付け方法、又は、枠２の第３板部２２に対するソケット９の取り付け方法も、特に限定されるものではない。ただし、それらの取り付け方法が、例えば、ネジ締結によるものや、互いに係合部を持った嵌め込みによるものであったとしても、作業者が開口ＡＰを通じて取り付け作業が可能であるものが採用される。
【００２１】
電源ユニット５は、第２内部空間ＩＳ２内に設置され、例えば、枠２の第３板部２２に設置される。電源ユニット５は、光源７がＬＥＤ光源である場合、交流電流を直流電流に変換し、ソケット９に通電する。その他、電源ユニット５に代えて、端子台等が同様に設置される場合もある。
【００２２】
また、照明器具１は、第２内部空間ＩＳ２内に、取り付け金具６を備える。取り付け金具６は、前面パネル３のパネル面３ａが表出する正面側とは反対の底面側で、かつ、前面パネル３に対向する位置に設けられる、枠２を外部の構造物に取り付けるための部材である。ここで、取り付け金具６が前面パネル３に対向するとは、第１空間Ｓ１側から前面パネル３を見たときに、Ｚ方向の投影視で、パネル面３ａの表面積内に取り付け金具６がおおよそ含まれるように位置することをいう。取り付け金具６は、例えば、板金を折り曲げることで成形される。取り付け金具６は、例えば、ＸＹ平面に平行な第１平板部６ａと、それぞれＸＺ平面に平行で、第１板部２０の主平面に接続可能な第２平板部６ｂと、第２板部２１の主平面に接続可能な第３平板部６ｃとを有する。第２平板部６ｂは、第１平板部６ａの一端に連接し、第３平板部６ｃは、第１平板部６ａの他端に連接する。また、第１平板部６ａは、例えば、Ｙ方向の中央でＸ方向に等間隔で複数形成されたボルト穴６ｄを有する。そして、取り付け金具６は、第１平板部６ａが第１板部２０及び第２板部２１のそれぞれのＺ方向マイナス側の端部を結んだ領域に位置するように、予め第１板部２０及び第２板部２１に固定される。
【００２３】
さらに、照明器具１は、第１内部空間ＩＳ１内に、パネル押さえ部１０を備える。パネル押さえ部１０は、前面パネル３を枠２に支持させるための機構である。通常時には、パネル面３ａ上の幅方向の両端が枠２の一部の領域に接触することで、前面パネル３が枠２に支持される。より具体的には、パネル面３ａ上のＹ方向プラス側の端領域が、枠２を構成する第４板部２３の第１内部空間ＩＳ１に面する側の面２３ｂと当接する。一方、パネル面３ａ上のＹ方向マイナス側の端領域が、枠２を構成する第５板部２４の第１内部空間ＩＳ１に面する側の面２４ｂと当接する。
【００２４】
パネル押さえ部１０は、Ｙ方向で互いに対向する押さえ板１１，１２と、それぞれの押さえ板１１，１２に対応する複数の押圧機構１３とを含む。第１の押さえ板１１は、前面パネル３のパネル面３ａとは反対側のパネル裏面３ｂの一部に当接し、前面パネル３を第４板部２３に対して押し付ける。同様に、第２の押さえ板１２は、パネル裏面３ｂの一部に当接し、前面パネル３を第５板部２４に対して押し付ける。なお、押さえ板１１，１２は、平板金具であってもよいし、樹脂材などで構成される部材であってもよい。押さえ板１１，１２のＸ方向すなわち長さ方向については、前面パネル３の延伸方向の長さに合わせた寸法とし得る。又は、押さえ板１１，１２は、それぞれ複数設けられていてもよい。一方、押さえ板１１，１２は、開口ＡＰから射出される照明光を必要以上に遮らないことが望ましい。そこで、押さえ板１１，１２のＹ方向すなわち幅方向については、第１空間Ｓ１側から見て、押さえ板１１，１２のそれぞれが第４板部２３又は第５板部２４に隠れる程度の寸法とする。
【００２５】
押圧機構１３は、第１の押さえ板１１又は第２の押さえ板１２を介して、枠２の第４板部２３又は第５板部２４に向けて前面パネル３を押圧可能である。押圧機構１３として、押圧力を発生させる弾性体としてのコイルバネを用い得る。この場合、１つの押圧機構１３は、支持軸１４と、コイルバネ１５とを含む。支持軸１４の一端は、押さえ板１１，１２のいずれかに固定され、支持軸１４の他端は、第４板部２３又は第５板部２４にＺ方向で対向する第３板部２２の一領域に予め形成されている貫通穴２２ａに摺動可能に係合する。コイルバネ１５は、支持軸１４に巻き付くような形で取り付けられる。コイルバネ１５の一端は、押さえ板１１，１２のいずれかに接触し、コイルバネ１５の他端は、第３板部２２の板面に接触する。なお、支持軸１４の第３板部２２側の他端には、第４板部２３又は第５板部２４に向かう押さえ板１１，１２の移動範囲を規定するためのストッパー１６を設置してもよい。また、押圧機構１３は、第１の押さえ板１１又は第２の押さえ板１２を介さずに、支持軸１４の端部で直接、前面パネル３を押圧する構成もあり得る。ただし、前面パネル３を安定して支持し、又は、前面パネル３への傷付きを抑えるためには、ある程度の広い接触面積を有する押さえ板１１，１２を用いることが望ましい。
【００２６】
コイルバネ１５が与える押圧力は、第１に、押さえ板１１，１２のいずれかと第４板部２３又は第５板部２４とで前面パネル３を挟み込ませることで、前面パネル３をガタつきなく安定して支持することができる程度を要する。また、コイルバネ１５が与える押圧力は、第２に、作業者が前面パネル３を第１空間Ｓ１側から照明器具１の第１内部空間ＩＳ１側に向かって押し付けたときに、前面パネル３を押し込むことができる程度を要する。ここで、押圧機構１３、具体的にはコイルバネ１５は、作業者による押下力を受けて、少なくとも前面パネル３の厚さＴ分よりも大きく収縮可能であることが必要である。なお、図２では、パネル面３ａに対して垂直な方向に関する前面パネル３の移動範囲を矢印範囲で示している。したがって、第１内部空間ＩＳ１のＺ方向の深さ寸法は、灯具本体４のＺ方向の寸法を考慮し、前面パネル３が、矢印範囲内で移動しても、灯具本体４に接触しないように設定される。
【００２７】
次に、照明器具１の設置例について説明する。図３は、照明器具１の設置例を示す図である。ここでは、複数の照明器具１が建物内の自動車誘導路に設置される場合を想定している。照明器具１は、図２に示したように、壁部１００に設置され得る。この場合、以下のような設置例が考えられる。第１の設置例としてのレイアウトＬ１では、図１に示したような２つの照明器具１を１つの組として壁１０１に設置している。照明器具１の１つの組は、間隔を置きながら複数並べて配置されてもよいし、間隔を置きながら複数段配置されてもよい。また、１つの照明器具１の寸法も、適宜変化させてもよい。これにより、照明全体として、例えば流線的なデザインを構築することができる。また、第２の設置例としてのレイアウトＬ２に示すように、１つの組に含まれる照明器具１の数を２つに限定せず、多数の照明器具１を一列に連接させてもよい。さらに、照明器具１は、自動車誘導路の天井部２００にも設置可能である。この場合も、照明器具１の配置位置、寸法又は組み合わせなどは、壁部１００に設置する場合と同様に、限定されるものではない。
【００２８】
次に、照明器具１の取り付けについて説明する。ここでは、照明器具１を取り付ける設置場所の一例として、図２に示す壁部１００を想定している。壁１０１は、図１を参照して説明したとおり、照明器具１を収容するための壁穴１０１ａを有する。照明器具１は、第１空間Ｓ１側から壁穴１０１ａを通して第２空間Ｓ２側に挿入されると、取り付け金具６の第１平板部６ａは、直壁１０２の壁面１０２ａ近傍まで達する。ここで、第１平板部６ａの外面には、予めスペーサー３０が設置されていることが望ましい。スペーサー３０は、ゴム等の弾性体からなり、ある程度の厚さを有する板状である。スペーサー３０の中央部分には、第１平板部６ａに形成されているボルト穴６ｄに中心軸を合わせた貫通穴３０ａが形成されている。このような構成のもと、作業者は、第１空間Ｓ１側から、ボルト３１を、第１平板部６ａのボルト穴６ｄとスペーサー３０の貫通穴３０ａとを通し、直壁１０２に予め形成されている穴に締め付ける。ただし、作業者が、第１空間Ｓ１側からボルト３１に向けて、工具であるドライバーを挿入することができるように、第３板部２２には、複数のボルト３１のそれぞれの位置に対応した複数の貫通穴を形成しておくことが望ましい。これにより、照明器具１は、壁１０１とは直接的に接触することなく、容易に壁部１００に取り付けられる。
【００２９】
次に、前面パネル３の移動について説明する。図４は、前面パネル３の移動を時系列で説明するための斜視図である。特に、図４（ａ）は、前面パネル３の移動前の状態を示す図である。図４（ｂ）は、前面パネル３を照明器具１の内側に向けて移動させた状態を示す図である。図４（ｃ）は、前面パネル３を照明器具１の側面側に向けて移動させた状態を示す図である。ここで、照明器具１の側面とは、前面パネル３が存在する正面を基準とし、図２に示す断面方向の開放面をいう。
【００３０】
照明器具１においては、作業者は、図４（ａ）に示す状態にある前面パネル３を、図４（ｂ）に示す白抜きの矢印のように、第１空間Ｓ１側から照明器具１の内側に向けて押し込むことができる。図４（ｂ）に示す状態では、前面パネル３のパネル面３ａは、いずれの面とも接触していない。一方、前面パネル３のパネル裏面３ｂは、押さえ板１１，１２に対して固定されているわけではなく、単に作業者により押さえ板１１，１２に押し付けられているのみである。また、照明器具１の両側面は、図４の各図に示すように、板部で塞がれることなく、開放されている。そのため、前面パネル３は、押さえ板１１，１２上で摺動することで、図４（ｃ）に示す黒塗りの矢印のように、照明器具１の側面の側、すなわち、押圧機構１３による押圧方向とは垂直な方向に向けて自由に移動可能である。
【００３１】
次に、照明器具１の効果について説明する。埋込型の照明器具１は、光源７と、光源７の正面に位置する前面パネル３と、前面パネル３のパネル面３ａに当接する枠２（２３，２４）と、枠２に向けて、前面パネル３のパネル面３ａとは反対側のパネル裏面３ｂを押圧する押圧機構１３とを備える。また、照明器具１は、パネル面３ａが表出する正面側とは反対の底面側で、かつ、前面パネル３に対向する位置に設けられ、枠２を外部の構造物に取り付ける取り付け金具６とを備える。押圧機構１３は、パネル面３ａからの押下力に対して、少なくとも前面パネル３の厚さＴ分よりも大きく収縮可能である。前面パネル３は、押圧機構１３が収縮しているときに、押圧機構１３の押圧方向に対して垂直な方向に移動可能である。
【００３２】
これにより、第１に、照明器具１の取り付けに関して、前面パネル３は、第４板部２３及び第５板部２４に押し付けられることで、枠２に支持される。まず、第４板部２３及び第５板部２４の主平面は、前面パネル３のパネル面３ａと平行である。一方、パネル面３ａは、外見上、壁１０１の第１空間Ｓ１に面する壁面１０１ｂと平行である。すなわち、照明器具１では、壁面１０１ｂに対して、枠面としての第４板部２３の第１空間Ｓ１に面する面２３ａ、及び、第５板部２４の第１空間Ｓ１に面する面２４ａは、それぞれ平行である。そこで、図２に示すように、壁１０１の壁面１０１ｂから直壁１０２の壁面１０２ａまでの距離を、第１板部２０又は第２板部２１のＺ方向の寸法、すなわち、照明器具１の高さ寸法Ｈに予め合わせておく。これにより、照明器具１を壁部１００に設置したときに、第４板部２３の面２３ａ及び第５板部２４の面２４ａを壁面１０１ｂに揃えることができる。
【００３３】
また、照明器具１では、枠２の第１板部２０の主平面の外面側と、第２板部２１の主平面の外面との間の寸法、すなわち、照明器具１の幅寸法Ｗが一定である。換言すれば、前面パネル３を支持する第４板部２３及び第５板部２４は、第１板部２０の主平面の外面側又は第２板部２１の主平面の外面側のいずれからも外側に突出していない。したがって、照明器具１の全体形状を、簡略化かつ小型化することができる。また、照明器具１の幅寸法Ｗが一定であることから、照明器具１が挿入される壁穴１０１ａの形状は、単にその寸法に合わせて貫通したものであればよいため、壁穴１０１ａの形成も容易となる。
【００３４】
また、照明器具１の枠２は、パネル面３ａが表出する正面側とは反対の底面側で、前面パネル３に対向する位置に設けられた取り付け金具６を用いて、外部の構造物に取り付けられる。すなわち、照明器具１は、照明領域である第１空間Ｓ１に面する壁１０１とは直接接触しないので、従来の照明器具の複雑な形状に合わせて、壁１０１に形成される壁穴１０１ａの形状を複雑化させることがない。これにより、第４板部２３の面２３ａ及び第５板部２４の面２４ａを壁面１０１ｂに揃えることがより容易となる。特に、このように面同士を揃えることは、照明器具１を含む壁面１０１ｂの外観自体がシンプルとなり、見た目が良好となる。さらに、壁面１０１ｂからの突出部がない分、照明器具１の近傍を通過する人が接触してけがをしたり、自動車が接触して車体に傷を付けたりすることを抑止させる点でも有利である。
【００３５】
また、スペーサー３０を介してボルト３１を直壁１０２に締結させることで、照明器具１を壁部１００に設置する場合、弾性体であるスペーサー３０の厚さは、ボルト締結の強さにより変わる。したがって、作業者は、ボルト締結の強さを適宜調整することで、第４板部２３の面２３ａ及び第５板部２４の面２４ａと、壁面１０１ｂとの位置の差を微調整することができ、容易に、互いに揃えることができる。また、弾性体であるスペーサー３０を用いることは、直壁１０２側からの振動を吸収して照明器具１側に伝わりにくくする点でも望ましい。
【００３６】
第２に、前面パネル３の移動に関して、作業者は、前面パネル３を、第１空間Ｓ１側から容易に照明器具１の側面側に向けて移動させることができる。そこで、図１に示すように、少なくとも２つの照明器具１が、開放面である互いの側面を合わせて壁部１００に設置される。ここで、図１を参照して説明すると、まず、第１空間Ｓ１側から見て左側にある第１の照明器具１について、作業者は、図４（ｂ）に示すように前面パネル３を押し込んでおく。この状態では、前面パネル３は、少なくとも前面パネル３の厚さＴ分以上押し込まれているので、パネル面３ａ上には、さらに別の前面パネル３を収容可能な程度の空間が生じている。次に、作業者は、第１の照明器具１の状態を維持したまま、第１空間Ｓ１側から見て右側にある第２の照明器具１の前面パネル３を、図４（ｃ）に示すように、隣り合う第１の照明器具１側へ移動させる。これにより、第２の照明器具１の前面パネル３は、第１の照明器具１において前面パネル３が押し込まれたことで生じた空間に入り込んだ状態となる。そして、第２の照明器具１では、前面パネル３が第１の照明器具１側に移動されたことで、第１内部空間ＩＳ１が開放され、作業者が第１空間Ｓ１側から灯具本体４等に触れることが可能となる。なお、この例示とは逆に、第１の照明器具１の前面パネル３を、第２の照明器具１側に移動させることも可能である。
【００３７】
すなわち、少なくとも２つの照明器具１を隣り合わせて壁部１００に設置することで、作業者は、例えばメンテナンス作業時に、第１空間Ｓ１側から容易に灯具本体４等を交換することができる。換言すれば、作業者は、このようなメンテナンス作業時に、照明器具１全体を壁部１００から取り出したり、前面パネル３を枠２から取り外したりする作業を要しない。
【００３８】
以上のように、本実施形態によれば、設置場所である構造体の表面に対して容易に位置を揃え、かつ、メンテナンス作業の効率化に有利な照明器具を提供することができる。
【００３９】
（第２実施形態）
次に、第２実施形態に係る照明器具の構成について説明する。図５は、本実施形態に係る照明器具５０の構成と、照明器具５０に含まれる２つの前面パネル５１，５２の移動を時系列で説明するための斜視図である。照明器具５０の構成は、第１実施形態に係る照明器具１の構成と比較して、１つの前面パネル３が、２つの前面パネル５１，５２に分割されている点が異なる。そして、前面パネル５１，５２を独立して移動可能とするために、不図示であるが、パネル押さえ部１０は、それぞれの前面パネル５１，５２に対応した分の押さえ板１１，１２と押圧機構１３とを有する。
【００４０】
第１実施形態では、特に、前面パネル３を側面側に向けて移動させることでメンテナンス作業等を容易とするためには、２つの照明器具１を隣り合わせて設置する必要がある。これに対して、第２実施形態では、１つの照明器具５０内に少なくとも２つの前面パネル５１，５２が正面側に向かって並列して設置されているで、１つの照明器具５０のみで、各前面パネル５１，５２の側面側への移動を可能とする。
【００４１】
この場合、作業者は、図５（ａ）に示す状態にある、第１空間Ｓ１側から見て左側の第１の前面パネル５１を、例えば、図５（ｂ）に示す白抜きの矢印のように、第１空間Ｓ１側から照明器具５０の内側に向けて押し込む。この状態では、第１の前面パネル５１は、少なくとも前面パネル５１，５２の厚さＴ分以上押し込まれている。次に、作業者は、第１の前面パネル５１の状態を維持したまま、第１空間Ｓ１側から見て右側にある第２の前面パネル５２を、図５（ｃ）に示す黒塗りの矢印のように、隣り合う第１の前面パネル５１側へ移動させる。これにより、第２の前面パネル５２は、第１の前面パネル５１が押し込まれたことで生じた空間に入り込んだ状態となる。そして、第２の前面パネル５２が第１の前面パネル５１側に移動されたことで、第１内部空間ＩＳ１が開放され、作業者が第１空間Ｓ１側から灯具本体４等に触れることが可能となる。なお、この例示とは逆に、第１の前面パネル５１を第２の前面パネル５２側に移動させることも可能である。
【００４２】
以上のように、本実施形態によれば、第１実施形態と同様の効果を奏する。特に、前面パネル５１，５２を側面側に移動させることによるメンテナンス作業等の容易化については、１つの照明器具５０のみでも実現することができる。結果として、照明器具５０は、設置場所の制限を減らすことで、様々な構造物に適用範囲を広げることができる。
【００４３】
なお、上記各実施形態では、前面パネル３（５１，５２）は、第４板部２３及び第５板部２４と面接触し、同様に、押さえ板１１，１２とも面接触している。これに対して、面接触部分、すなわち前面パネル３の支持部分の構成を、以下のように変更することも可能である。
【００４４】
図６は、前面パネル３の支持部分の他の構成を例示する拡大断面図である。図６（ａ）は、第４板部２３の面２３ｂに設けられた凹部６０と、凹部６０の位置に対応して、前面パネル３のパネル面３ａ上に設けられた凸部６１とを示す図である。凹部６０と凸部６１とは、互いに係合するものであり、押圧機構１３による押圧方向に対して垂直な方向、すなわち本実施形態ではＸ方向に延設されている。なお、不図示であるが、第５板部２４の面２４ｂにも同様に凹部６０が設けられ、それに対応してパネル面３ａ上に凸部６１が設けられている。
【００４５】
この構成によれば、例えば、作業者が、前面パネル３を第１空間Ｓ１側から若干押したまま側面側に向かって移動させるときに、前面パネル３側の凸部６１が、第４板部２３及び第５板部２４側の凹部６０に案内される。したがって、作業者は、より容易に、所望の方向に前面パネル３を移動させることができる。また、通常時、前面パネル３は、前面パネル３側の凸部６１が第４板部２３及び第５板部２４側の凹部６０に係合した状態で支持されているので、外部から衝撃が加わった場合でも、支持位置からずれることなく安定的に支持される。
【００４６】
図６（ｂ）は、押さえ板１１の壁面に設けられた凸部６２と、凸部６２の位置に対応して、前面パネル３のパネル裏面３ｂに設けられた凹部６３とを示す図である。凸部６２と凹部６３とは、互いに係合するものであり、押圧機構１３による押圧方向に対して垂直な方向、すなわち本実施形態ではＸ方向に延設されている。なお、不図示であるが、押さえ板１２の壁面にも同様に凸部６２が設けられ、それに対応してパネル裏面３ｂ上に凹部６３が設けられている。
【００４７】
この構成によれば、例えば、作業者が、前面パネル３を第１空間Ｓ１側から押したまま側面側に向かって移動させるときに、前面パネル３側の凹部６３が、押さえ板１１,１２の凸部６２に案内される。したがって、作業者は、より容易に、所望の方向に前面パネル３を移動させることができる。また、前面パネル３を移動させても、前面パネル３と押さえ板１１,１２との接触面積が小さいので、前面パネル３のパネル裏面３ｂには傷が付きにくくなる。結果として、前面パネル３の摺動による粉塵の発生を抑え、前面パネル３の汚染を抑えることもできる。さらに、通常時において、前面パネル３は、前面パネル３側の凹部６３が押さえ板１１,１２側の凸部６２に係合した状態で支持されているので、外部から衝撃が加わった場合でも、支持位置からずれることなく安定的に支持される。
【００４８】
また、上記各実施形態では、照明器具１,５０を直壁１０２に取り付ける機構として、ボルト３１を用いたボルト締結を例示した。しかし、本開示は、これに限定されるものではない。例えば、不図示であるが、照明器具１側の取り付け金具６に、第１の係合金具を取り付けておき、一方、直壁１０２の壁面１０２ａに、第１の係合金具に係合可能な第２の係合金具を設置しておいてもよい。これにより、作業者は、第１空間Ｓ１側から壁穴１０１ａを通して挿入した照明器具１を、第１の係合金具と第２の係合金具とを係合させることで、容易に直壁１０２に取り付けることができる。
【００４９】
また、上記各実施形態では、スペーサー３０が弾性体であるものとして説明した。ただし、スペーサー３０は、弾性体ではなく、例えば金属製であってもよい。この場合、例えば、それぞれ異なる厚みの金属製スペーサーを予め準備しておき、作業者は、適宜適切な厚みのスペーサーを用いることで、第４板部２３の面２３ａ及び第５板部２４の面２４ａと、壁面１０１ｂとの位置の差を微調整することができる。
【００５０】
以上、好ましい実施形態について説明したが、本実施形態は、これ限定されず、その要旨の範囲内で種々の変形及び変更が可能である。
【符号の説明】
【００５１】
１      照明器具
２      枠
３      前面パネル
３ａ    パネル面
３ｂ    パネル裏面
６      取り付け金具
７      光源
１３    押圧機構
２３    第４板部（枠の一部）
２４    第５板部（枠の一部）
【図１】
2018156783.tif 000003
【図２】
2018156783.tif 000004
【図３】
2018156783.tif 000005
【図４】
2018156783.tif 000006
【図５】
2018156783.tif 000007
【図６】
2018156783.tif 000008